(57)【要約】【課題】いわゆるロングシーク動作を行なうときにスライダの浮上量が大きく変動することを防止することができ、もって信号検出処理などを適切に行なうことが可能な光ディスク装置を提供する。【解決手段】対物レンズ５１，５２を搭載し、かつトラッキング方向に移動自在なスライダ５を備えた線速度一定方式の光ディスク装置１であって、スライダ５のトラッキング方向の移動領域は、複数のゾーンＸ〜Ｚに分割され、かつこれらのゾーンＸ〜Ｚ毎にシーク動作時用の光ディスクの基準回転速度が設定されており、スライダ５が１つのゾーンから他の１つのゾーンに移動する際には、スライダ５の浮上量の変動を抑制するために光ディスクＤの回転速度をスライダ５が位置するゾーンの基準回転速度に順次設定することにより、光ディスクＤの回転速度が段階的に変更されるように構成されている。【選択図】  図１
2004171621.tif 000002
【特許請求の範囲】
【請求項１】
光ディスクの表面にレーザスポットを形成するための対物レンズが搭載されたスライダと、このスライダを支持するとともに、上記光ディスクのトラッキング方向に移動可能なキャリッジと、を備えた線速度一定方式の光ディスク装置であって、
上記スライダのトラッキング方向の移動領域は、複数のゾーンに分割され、かつこれらのゾーン毎にシーク動作時用の光ディスクの基準回転速度が設定されており、
上記スライダが１つのゾーンから他の１つのゾーンに移動する際には、上記スライダの浮上量の変動を抑制するために上記光ディスクの回転速度を上記スライダが位置するゾーンの基準回転速度に順次設定することにより、上記光ディスクの回転速度が段階的に変更されるように構成されていることを特徴とする、光ディスク装置。
【請求項２】
上記スライダは、上記各ゾーンの境界近傍に達する都度トラッキング方向への移動を停止し、かつこの停止後に上記光ディスクの回転速度が次の移動ゾーンの基準回転速度に達したときには、トラッキング方向への移動を再開するように構成されている、請求項１に記載の光ディスク装置。
【発明の詳細な説明】
【０００１】
【発明の属する技術分野】
本願発明は、光ディスクへのデータの書き込みや光ディスクからのデータの読み出しを行なうための光ディスク装置に関する。
【０００２】
本明細書において、単に「光ディスク」という場合には、データ読み出し専用のＣＤなどの狭義の光ディスクに限らず、データの読み出しまたは書き込みに際して光を利用するタイプの種々のディスクを含む。したがって、光磁気ディスクや相変化記録方式のディスクも、本明細書でいう「光ディスク」に含まれる。また、本明細書でいう「光ディスク装置」には、たとえば光磁気ディスク装置も含まれる。
【０００３】
【従来の技術】
従来、光ディスクへのデータの書き込みや光ディスクからのデータの読み出しの高速化を目的として、種々の光ディスク装置が提案されている。このような光ディスク装置の一例としては、特許文献１に記載されたものがある。
【０００４】
特許文献１に記載された光ディスク装置では、対物レンズを搭載したスライダがトラッキング方向（光ディスクの半径方向）に移動自在とされており、光ディスクに記録されたデータを一定の速度（基準線速度）で読み取る線速度一定方式を採用している。この線速度一定方式においては、光ディスクのトラック毎に光ディスクの回転速度が決められており、光ディスクの外周寄りのトラックから内周寄りのトラックになるほど、光ディスクの回転速度を高速とすることにより、線速度が一定とされる。この方式によれば、各トラックからデータを読み出すときの転送速度を一定にすることが可能である。
【０００５】
上記光ディスク装置においては、スライダを目的のトラック上へ移動させるシーク動作を行なうときに、光ディスクの回転速度を目的のトラックに対応した回転速度に変更させる制御を開始してから、スライダをトラッキング方向に移動させるようにしている。このような構成によれば、スライダが目的のトラック上に移動した後に光ディスクの回転速度をそのトラックに対応した回転速度に変更させ始めるものと比較すると、その後のデータ読み出し処理などを早期に開始することができる。
【０００６】
【特許文献１】
特開平１１−６６７２３号公報
【０００７】
【発明が解決しようとする課題】
しかしながら、上記従来の光ディスク装置においては、シーク動作時にスライダがどの位置に存在するかについてはなんら考慮することなく、光ディスクの回転速度を目的のトラックに対応した回転速度に変更させているに過ぎない。一方、シーク動作を行なう場合、スライダをトラッキング方向に長いストロークで移動させること自体は迅速に行なわせることができるものの、光ディスクの回転速度を大幅に変更する制御については、さほど迅速に行なうことができないのが一般的である。
【０００８】
このため、従来においては、スライダの移動距離が長いいわゆるロングシーク動作を行なうときには、スライダの移動に対して光ディスクの回転速度の変更が間に合わず、光ディスクの実際の回転速度が、トラック毎に設定されている本来の回転速度とは大きくかけ離れてしまう場合があった。より具体的には、たとえばスライダを光ディスクの最外周のトラック上から最内周の目的のトラック上へ長いストロークで移動させるときには、光ディスクの回転速度を短時間で増速させる必要があるものの、これが困難であることによりその回転速度は不足気味となる。このため、図６に示すように、スライダがシーク動作時に通過する各トラックの実際の線速度は、基準線速度を大きく下回ることとなっていた。
【０００９】
上記したような事態が発生したのでは、光ディスクとスライダとの隙間に流れ込む空気流の速度が大きく変化するために、スライダの浮上量が大きく変動し、対物レンズと光ディスクとの間の距離も大きく変動する。これでは、光ディスク上に所望の径のレーザスポットを適切に形成することができなくなり、シーク動作中において光ディスクからアドレス情報の読み出しや各種の制御用信号検出を行なう際に誤検出を生じてしまう。
【００１０】
本願発明は、このような事情のもとで考え出されたものであって、いわゆるロングシーク動作を行なうときにスライダの浮上量が大きく変動することを防止することができ、もって信号検出処理などを適切に行なうことが可能な光ディスク装置を提供することをその課題としている。
【００１１】
【発明の開示】
上記の課題を解決するために、本願発明では、次の技術的手段を講じている。
【００１２】
本願発明によって提供される光ディスク装置は、光ディスクの表面にレーザスポットを形成するための対物レンズが搭載されたスライダと、このスライダを支持するとともに、上記光ディスクのトラッキング方向に移動可能なキャリッジと、を備えた線速度一定方式の光ディスク装置であって、上記スライダのトラッキング方向の移動領域は、複数のゾーンに分割され、かつこれらのゾーン毎にシーク動作時用の光ディスクの基準回転速度が設定されており、上記スライダが１つのゾーンから他の１つのゾーンに移動する際には、上記スライダの浮上量の変動を抑制するために上記光ディスクの回転速度を上記スライダが位置するゾーンの基準回転速度に順次設定することにより、上記光ディスクの回転速度が段階的に変更されるように構成されていることを特徴としている。
【００１３】
このような構成によれば、上記スライダが上記１つのゾーンから上記他の１つのゾーンへ移動する際に、上記光ディスクの回転速度は上記スライダが位置するゾーンの基準回転速度に設定されながら段階的に変更されていくため、上記スライダが長い距離を移動するいわゆるロングシーク動作が行なわれる場合には、上記光ディスクの回転速度と各トラックに対応した回転速度との差を上記従来技術よりも小さくすることができる。言い換えれば、上記スライダがシーク動作時に通過する各トラックの実際の線速度を基準線速度に近づけることができる。これにより、上記光ディスクと上記スライダとの隙間に流れ込む空気流の速度変化は小さくなり、上記スライダの浮上量は大きく変動しなくなる。したがって、上記光ディスクの表面に所望の径のレーザスポットを適切に形成することができ、シーク動作中において上記光ディスクからのアドレス情報の読み出しやフォーカス信号検出などを適正に行なうことが可能となる。
【００１４】
このような構成によればまた、光ディスクの回転数をシーク動作時に通過する各トラックに対応した回転数に順次設定しながらスライダが移動する場合と比較して、シーク動作時間を短縮することができるため、目的のトラックに対するデータ読み出し処理などを早期に開始することが可能となる。
【００１５】
本願発明の好ましい実施の形態においては、上記スライダは、上記各ゾーンの境界近傍に達する都度トラッキング方向への移動を停止し、かつこの停止後に上記光ディスクの回転速度が次の移動ゾーンの基準回転速度に達したときには、トラッキング方向への移動を再開するように構成されている。
【００１６】
このような構成によれば、上記スライダがシーク動作時に通過する各トラックの実際の線速度を基準線速度により近づけることができ、上記スライダの浮上量の変動をより少なくすることができる。
【００１７】
本願発明のその他の特徴および利点については、以下に行う発明の実施の形態の説明から、より明らかになるであろう。
【００１８】
【発明の実施の形態】
以下、本願発明の好ましい実施の形態について、図面を参照しつつ具体的に説明する。
【００１９】
図１は、本願発明に係る光ディスク装置の構成の一例を示している。本実施形態の光ディスク装置１は、上記従来技術と同様に、データを一定の転送速度で読み取る線速度一定方式を採用している。
【００２０】
光ディスクＤは、スピンドル２に装着されて高速回転可能となっている。この光ディスクＤは、基板Ｄａの下面に形成された記録層Ｄｂが透明な薄膜状の保護膜Ｄｃによって覆われた構成を有している。
【００２１】
光学ヘッドＨは、光ディスクＤの記録層Ｄｂに対してデータの読み書きを行なうために用いられる。この光学ヘッドＨは、光ディスクＤのトラッキング方向（矢印Ａ方向）に移動可能なキャリッジ３と、このキャリッジ３に取り付けられた板状のサスペンション部材４に支持されているスライダ５と、を有している。
【００２２】
キャリッジ３には、光源・受光部６からトラッキング方向に進行してきたレーザ光を反射させて、後述する２枚の対物レンズ５１，５２に入射させるためのミラーＭが設けられている。
【００２３】
スライダ５には、ミラーＭによって反射されたレーザ光を集束させて記録層Ｄｂにレーザスポットを形成するための２枚の対物レンズ５１，５２が搭載されている。２枚の対物レンズ５１，５２を搭載することによって、１枚の対物レンズを搭載した場合と比較して開口数を大きくすることができる。また、本実施形態においては、スライダ５を記録層Ｄｂに対向接近させるフロントイルミネーション方式が採用されており、記録層Ｄｂと対物レンズ５２との距離が小さくされている。これにより、小径の対物レンズを用いることが可能となり、スライダ５の小型化が図られている。
【００２４】
このスライダ５は、キャリッジ３がトラッキング方向に移動するのに伴って、光ディスクＤの最外周トラックから最内周のトラックまで移動することができるようになっている。本実施形態においては、このスライダ５の移動領域は、トラッキング方向において、たとえば外周側から順に３つのゾーンＸ〜Ｚに分割されている。これらのゾーンＸ〜Ｚは、いずれも複数のトラックを含んでおり、またこれらのゾーンＸ〜Ｚ毎にシーク動作時用の光ディスクの基準回転速度が設定されている。この基準回転速度は、たとえばゾーンＸ〜Ｚのトラッキング方向の中央にあるトラックが基準線速度となる回転速度とされている。
【００２５】
光源・受光部６には、光ディスクＤの記録層Ｄｂからの反射光が光源・受光部６から記録層Ｄｂまでのレーザ光の経路を逆にたどって戻される。この光源・受光部６において、再生信号の検出と、フォーカスエラー信号およびトラッキングエラー信号の検出が行われる。
【００２６】
制御部７は、スピンドル２の回転速度の制御、キャリッジ３のトラッキング方向への移動の制御を行なう。フォーカス制御やトラッキング制御等をこの制御部７に担当させることもできる。
【００２７】
上記した光ディスク装置１において、光ディスクＤが高速回転するときには、スライダ５は保護層Ｄｃに対して数μｍ程度の微小間隔を隔てて浮上するようになっている。これは、光ディスクＤが高速回転するときにスライダ５の上面と光ディスクＤの保護層Ｄｃとの隙間に空気が流れ込む作用による。レーザスポットは、上記したようにスライダ５が浮上した状態において記録層Ｄｂに形成されるようになっている。レーザスポットが光ディスクＤのトラックを走査することにより、光ディスクＤに対するデータの読み書きが行なわれる。
【００２８】
次に、シーク動作時に制御部７が行なう制御について、図２に示すフローチャートを参照して説明する。
【００２９】
まず、１つのトラックに対するデータの読み書きを終えた後に、次のデータの読み書きを行なう他のトラックに移動する場合には、移動先となる目的のトラックのアドレス情報を取得してから、シーク動作を開始させる（Ｓ１０）。このシーク動作においては、スライダ５をトラッキング方向に移動させる（Ｓ１１）。この移動に際しては、スライダ５がどのトラック上に位置しているのかといったアドレス情報の確認を行ない（Ｓ１２）、スライダ５が目的のトラック上へ移動したか否かの判断を行なう（Ｓ１３）。スライダ５が目的のトラック上へ移動したと判断した場合には（Ｓ１３：ＹＥＳ）、スライダ５の移動を停止させて（Ｓ１４）、光ディスクＤの回転速度を目的のトラックに対応した回転速度に設定し（Ｓ１５）、シーク動作を終了させる（Ｓ１６）。その後、目的のトラックに対してデータの読み書きが行なわれることとなる。
【００３０】
ステップＳ１３において、スライダ５が目的のトラック上へ移動していないと判断した場合には（Ｓ１３：ＮＯ）、スライダ５がシーク動作開始時点に位置していたゾーンからその隣のゾーンに移動したか否かの判断を行なう（Ｓ１７）。スライダ５が隣のゾーンに移動していないと判断した場合には（Ｓ１７：ＮＯ）、スライダ５が隣のゾーンへ移動したと判断するまで制御を繰り返し行なう。スライダ５が隣のゾーンに移動したと判断した場合には（Ｓ１７：ＹＥＳ）、光ディスクＤの回転速度をそのゾーンの基準回転速度に設定する（Ｓ１８）。その後、スライダ５が目的トラックへ移動したと判断するまで上記制御を繰り返し、移動したと判断した場合には（Ｓ１３：ＹＥＳ）、スライダ５の移動を停止させるとともに（Ｓ１４）、光ディスクＤの回転速度を目的のトラックに対応した回転速度に設定（Ｓ１５）し、シーク動作を終了させる（Ｓ１６）。その後は、上述したように目的のトラックに対してデータの読み書きが行われることとなる。
【００３１】
このような手順によれば、光ディスクＤの回転速度は、シーク動作時にスライダ５が位置するゾーン毎の基準設定速度に順次設定されながら段階的に変更されていくこととなる。シーク動作を開始する時点においてスライダ５がゾーンＸ内にあり、目的のトラックがゾーンＺ内にある場合など、スライダ５の移動距離が長いいわゆるロングシーク動作を行なうときには、スライダ５がシーク動作時に通過する各トラックの実際の線速度と基準線速度とは、たとえば図３に示すような関係となり、それらの差を小さくすることができる。これにより、光ディスクＤとスライダ５との隙間に流れ込む空気流の速度変化は小さくなり、スライダ５の浮上量は大きく変動しなくなる。したがって、光ディスクＤの表面に所望の径のレーザスポットを適切に形成することができ、シーク動作中において光ディスクＤからのアドレス情報の読み出しやフォーカス信号検出などを適正に行なうことが可能となる。
【００３２】
次に、シーク動作時に制御部７が行なう他の制御手順例について、図４を参照して説明する。図４において、図２と同一または類似の手順には図２と同一の符号を付している。
【００３３】
図示された制御手順では、シーク動作を開始させた後に（Ｓ１０）、スライダ５がシーク動作開始時に位置していたゾーンからその隣のゾーンに移動したか否かの判断（Ｓ１７）を行なうまでは、図２に示した制御手順と同様である（Ｓ１０〜Ｓ１３，Ｓ１７）。本実施形態の制御手順は、スライダ５が隣のゾーンに移動したと判断（Ｓ１７：ＹＥＳ）した後の制御手順が図２に示した制御手順とは異なる。
【００３４】
すなわち、スライダ５が隣のゾーンに移動したと判断した場合（Ｓ１７：ＹＥＳ）には、スライダ５の移動を一時停止させる制御（Ｓ１９）を行なうようになっている。このスライダ５の移動停止状態において、光ディスクＤの回転速度を変更させ始め（Ｓ２０）、その回転速度がスライダ５の位置するゾーンの基準回転速度に達したか否かの判断を行なう（Ｓ２１）。基準回転速度に達していないと判断した場合には（Ｓ２１：ＮＯ）、基準回転速度に達したと判断するまで光ディスクＤの回転速度を変更させる。基準回転速度に達したと判断した場合には（Ｓ２１：ＹＥＳ）、スライダ５の移動を再開させて（Ｓ１１）、スライダ５が目的のトラック上へ移動したと判断（Ｓ１３：ＹＥＳ）するまで制御を繰り返す。スライダ５が目的のトラック上へ移動したと判断（Ｓ１３：ＹＥＳ）してから行なう制御は、図２に示した制御手順と同様である。
【００３５】
このような手順によれば、スライダ５が隣のゾーンに移動したときには、スライダ５は光ディスクの回転速度がそのゾーンの基準回転速度に達するまで移動を停止しているため、スライダ５がシーク動作時に通過する各トラックの実際の線速度と基準線速度とは、たとえば図５に示すような関係となり、それらの差をより小さくすることができる。したがって、スライダ５の浮上量の変動をより抑制することができる。
【００３６】
本願発明は、上述した実施形態の内容に限定されるものではない。たとえば、スライダの移動領域は、３つのゾーンに分割されることに限定されず、それ以上の数に分割してもよい。ゾーン数を増加するにつれ、光ディスクの実際の回転速度とトラック毎に設定されている回転速度との差をより小さくすることが可能となるが、その一方でロングシーク動作時のスライダの移動に要する時間が延びることとなるため、両者のバランスを考慮してゾーン数を決定することが好ましい。また、図４に示した制御手順において、スライダがシーク動作開始時に位置していたゾーンからその隣のゾーンに移動したと制御部が判断した場合には、スライダ移動を一時停止させることに代えて、スライダを減速させて徐行させるようにしてもよい。このようにすれば、スライダ移動を一時停止させる制御の場合よりも目的のトラックに対するデータの読み書きを早期に開始することが可能となる。その他、本願発明に係る光ディスク装置の各部の具体的な構成は、種々に設計変更自在である。
【００３７】
【発明の効果】
本願発明によると、いわゆるロングシーク動作を行なうときに、目的のトラックに対するデータ読み出し処理などを早期に開始することを図りながらも、スライダの浮上量が大きく変動することを防止し、もって信号検出処理などを適切に行なうことができる。
【図面の簡単な説明】
【図１】本願発明に係る光ディスク装置の一例を示す模式的説明図である。
【図２】シーク動作時の制御手順の一例を示すフローチャートである。
【図３】シーク動作時の線速度の変化の一例を示すグラフである。
【図４】シーク動作時の制御手順の他の例を示すフローチャートである。
【図５】シーク動作時の線速度の変化の一例を示すグラフである。
【図６】従来の光ディスク装置におけるシーク動作時の線速度の変化の一例を示すグラフである。
【符号の説明】
１  光ディスク装置
３  キャリッジ
５  スライダ
５１，５２  対物レンズ
Ｘ〜Ｚ  ゾーン
【図１】
2004171621.tif 000003
【図２】
2004171621.tif 000004
【図３】
2004171621.tif 000005
【図４】
2004171621.tif 000006
【図５】
2004171621.tif 000007
【図６】
2004171621.tif 000008